(57)【要約】【課題】パニック値（クリティカル値）を示した検体が発生した場合に、再検査の処理の待ち時間を少なくできる自動分析装置を提供することにある。【解決手段】ラック供給部１は、検体ラック２を供給する。サンプリング部８，１６は、ラック供給部１から供給された検体ラックに収容した検体容器からサンプルを採取する。分析部６，１４は、サンプリング部８，１６により採取したサンプルを分析する。設定部１９０は、分析結果の異常を検出するための判定基準であるパニック値（クリティカル値）を分析項目ごとに設定し、また、異常が検出されたときの分析装置の動作を設定する。制御部１００は、分析部６，１４による分析結果が、設定部１９０により設定された判定基準により異常であると判定されると、設定部１９０により設定された分析装置の動作に従って、ラック供給部１からの検体ラックの供給を停止する。【選択図】図１
2010122124.tif 000002
【特許請求の範囲】
【請求項１】
検体ラックを供給するためのラック供給部と、
該ラック供給部から供給された検体ラックに収容した検体容器からサンプルを採取するためのサンプリング部と、
該サンプリング部により採取したサンプルを分析する分析部とを有する自動分析装置であって、
分析結果の異常を検出するための判定基準であるパニック値（クリティカル値）を分析項目ごとに設定し、また、異常が検出されたときの分析装置の動作を設定する設定部と、
前記分析部による分析結果が、前記設定部により設定された判定基準により異常であると判定されると、前記設定部により設定された分析装置の動作に従って、前記ラック供給部からの検体ラックの供給を停止する制御部を備えることを特徴とする自動分析装置。
【請求項２】
請求項１記載の自動分析装置において、
検体ラックを識別する識別部を備え、
前記制御部は、前記識別部からの信号により、前記分析部にパニック値を示した検体が搬送されたことを感知すると、前記ラック供給部からの検体ラックの供給を再開することを特徴とする自動分析装置。
【請求項３】
請求項１記載の自動分析装置において
前記制御部は、前記分析部による分析結果が、前記設定部により設定された判定基準により異常であると判定されると、前記設定部により設定された分析装置の動作に従って、サンプリング部での検体からサンプルの採取を中断することを特徴とする自動分析装置。
【請求項４】
請求項記載３の自動分析装置において、
検体ラックを識別する識別部を備え、
前記制御部は、前記識別部からの信号により、前記分析部にパニック値を示した検体が搬送されたことを感知すると、前記サンプリング部における検体からのサンプル採取を中断した検体を、分析部まで再搬送し、中断されたサンプルの採取を再開することを特徴とする自動分析装置。
【請求項５】
請求項記載１の自動分析装置において、
前記制御部は、前記分析部による分析結果が、前記設定部により設定された判定基準により異常であると判定されると、前記設定部により設定された分析装置の動作に従って、前記緊急検体ラック投入部からの緊急検体の搬入を停止することを特徴とする自動分析装置。
【請求項６】
請求項記載５の自動分析装置において、
検体ラックを識別する識別部を備え、
前記制御部は、前記識別部からの信号により、前記分析部にパニック値を示した検体が搬送されたことを感知すると、前記緊急検体ラック投入部からの緊急検体ラックの搬入を再開することを特徴とする自動分析装置。
【請求項７】
検体ラックを供給するためのラック供給部と、
前記ラック供給部から供給された検体容器を収容した検体ラックをサンプリング部に搬送する搬送ラインと、
該搬送ラインにより供給された検体ラックに収容した検体容器からサンプルを採取するためのサンプリング部と、
該サンプリング部により採取したサンプルを分析する分析部と、
サンプルが採取された検体ラックを再度前記サンプリング部に搬送するための帰還ラインとを有する自動分析装置であって、
分析結果の異常を検出するための判定基準であるパニック値（クリティカル値）を分析項目ごとに設定し、また、異常が検出されたときの分析装置の動作を設定する設定部と、
前記分析部による分析結果が、前記設定部により設定された判定基準により異常であると判定されると、前記設定部により設定された分析装置の動作に従って、前記ラック供給部からの検体ラックの供給を停止する制御部を備えることを特徴とする自動分析装置。
【発明の詳細な説明】
【技術分野】
【０００１】
本発明は、血液，尿等の生体サンプルの成分分析を行う自動分析装置に係り、特に、検体ラックに収容した検体容器から分析部にサンプルを採取して分析し、分析結果の異常を検出した時に検体容器を自動搬送して再検査する自動分析装置に関する。
【背景技術】
【０００２】
臨床検査のための自動分析装置では、血液，血漿，血清，尿，その他の体液等の検体（サンプル）に対して、ビリルビン，蛋白質，ＡＳＴ，ＡＬＴ等の分析項目を自動的に分析検査する。自動分析装置は、サンプルと試薬を混合、反応させた反応液を分析する分析部を有するが、その分析部にサンプルを供給する方法として回転によって各検体容器をターンテーブルに載置し完結回転によって各検体容器をサンプリング部に位置づける方法や、検体容器を収容した検体ラックを搬送ラインを経由して分析部のサンプリング部に位置づける方法がある。これらの自動分析装置には、分析の結果を判定して、自動分析装置内から検体を取り出すことなく再検査を行う機能を有しているものがある。
【０００３】
再検査は、初回の分析結果が分析装置の測定濃度レンジを超えた場合や、測定濃度レンジ内であっても臨床的に確認するために再度分析を行い、初回の分析結果を検証するために実施するものである。
【０００４】
臨床的に確認するために再度分析を行うのは、サンプルを採取した患者の疾患，病態により異常値を示している場合である。異常値であっても、治療を必要とする場合や、経過観察の参考にする場合など、その利用は医師の判断に委ねられる。特に、その異常値の中で、サンプルを採取した患者の生命の危機に関わる値をパニック値，若しくは、重大値(クリティカル値：critical value)と称している。パニック値（クリティカル値）を示した検体の分析結果について臨床検査室は、担当の医師に即時報告するとともに、検査結果の検証（再検査）を実施しなければならない。これは、報告した分析結果が分析プロセスの要因でないことを検証するためである。
【０００５】
従来、パニック値と、パニック値以外の異常値の区別は自動分析装置ではされていなかった。そのため、パニック値を示した検体も、パニック値ではないが異常値の検体も、一緒に再検査処理を実施していた。
【０００６】
従来の自動分析装置では、再検査の可能性がある検体ラックを搬送ラインの入り口へ帰還させ、再度サンプリング部に位置づける方法により再検査を実施するものが知られている（例えば、特許文献１参照）。この方式は、検査が完了し、再検要否が決定した検体ラックを、検体ラック待機部の任意の位置から抜き出して目的位置へ移送することで、再検要否判定待ちの検体ラックを効率よく自動的に処理できる。
【０００７】
また、分析項目の結果が遅れた場合に、診療側への異常値の報告が遅れることを危惧し、特定の項目で異常な測定結果が出力された場合に、オペレータに異常結果の通知を行い、オペレータの判断で医師に分析結果を送信する手段を備えるものが知られている（例えば、特許文献２参照）。この方式は、医師が分析を依頼してから結果が出力されるまでのターンアラウンドタイムを低減することに寄与している
【特許文献１】特開２００８−１８５５９７号公報
【特許文献２】特開２００５−３５１７７７号公報
【発明の開示】
【発明が解決しようとする課題】
【０００８】
特許文献１に記載の自動分析装置は、再検の検体が発生した場合には、帰還ラインを用いて再度サンプリング部に位置づける方法を採用している。その結果、帰還ラインを搬送中にも、ラック供給部、緊急検体ラック投入部から新しい検体ラックが自動分析装置に供給され続けている。そのため、帰還ラインから再度サンプリング部に位置づけるまでには、既に供給された検体の後方に位置しなければならなくなり、再検の分析に時間を要する結果となる。
【０００９】
また、新しい検体ラックの投入を停止しても、サンプリング部で検体の採取が行われていると、検体ラックに収容されている全検体容器のサンプリングが完了することを待たなければならない。その結果、再検の分析に時間を要する結果となる。
【００１０】
特許文献２に記載の自動分析装置は、医師が分析を依頼してから結果が出力されるまでのターンアラウンドタイムを低減することには寄与しているが、分析結果の検証を完了するまでの時間を低減するまでには至っていない。分析結果が分析プロセスの異常により発生した場合、医師への伝達が遅れる可能性を持っている。
【００１１】
本発明の目的は、パニック値（クリティカル値）を示した検体が発生した場合に、再検査の処理の待ち時間を少なくできる自動分析装置を提供することにある。
【課題を解決するための手段】
【００１２】
（１）上記目的を達成するために、本発明は、検体ラックを供給するためのラック供給部と、該ラック供給部から供給された検体ラックに収容した検体容器からサンプルを採取するためのサンプリング部と、該サンプリング部により採取したサンプルを分析する分析部とを有する自動分析装置であって、分析結果の異常を検出するための判定基準であるパニック値（クリティカル値）を分析項目ごとに設定し、また、異常が検出されたときの分析装置の動作を設定する設定部と、前記分析部による分析結果が、前記設定部により設定された判定基準により異常であると判定されると、前記設定部により設定された分析装置の動作に従って、前記ラック供給部からの検体ラックの供給を停止する制御部を備えるようにしたものである。  
かかる構成により、パニック値（クリティカル値）を示した検体が発生した場合に、再検査の処理の待ち時間を少なくできる。
【００１３】
（２）上記（１）において、好ましくは、検体ラックを識別する識別部を備え、前記制御部は、前記識別部からの信号により、前記分析部にパニック値を示した検体が搬送されたことを感知すると、前記ラック供給部からの検体ラックの供給を再開するようにしたものである。
【００１４】
（３）上記（１）において、好ましくは、前記制御部は、前記分析部による分析結果が、前記設定部により設定された判定基準により異常であると判定されると、前記設定部により設定された分析装置の動作に従って、サンプリング部での検体からサンプルの採取を中断するようにしたものである。
【００１５】
（４）上記（３）において、好ましくは、検体ラックを識別する識別部を備え、前記制御部は、前記識別部からの信号により、前記分析部にパニック値を示した検体が搬送されたことを感知すると、前記サンプリング部における検体からのサンプル採取を中断した検体を、分析部まで再搬送し、中断されたサンプルの採取を再開するようにしたものである。
【００１６】
（５）上記（１）において、好ましくは、前記制御部は、前記分析部による分析結果が、前記設定部により設定された判定基準により異常であると判定されると、前記設定部により設定された分析装置の動作に従って、前記緊急検体ラック投入部からの緊急検体の搬入を停止するようにしたものである。
【００１７】
（６）上記（５）において、好ましくは、検体ラックを識別する識別部を備え、前記制御部は、前記識別部からの信号により、前記分析部にパニック値を示した検体が搬送されたことを感知すると、前記緊急検体ラック投入部からの緊急検体ラックの搬入を再開するようにしたものである。
【００１８】
（７）また、上記目的を達成するために、本発明は、検体ラックを供給するためのラック供給部と、前記ラック供給部から供給された検体容器を収容した検体ラックをサンプリング部に搬送する搬送ラインと、該搬送ラインにより供給された検体ラックに収容した検体容器からサンプルを採取するためのサンプリング部と、該サンプリング部により採取したサンプルを分析する分析部と、サンプルが採取された検体ラックを再度前記サンプリング部に搬送するための帰還ラインとを有する自動分析装置であって、分析結果の異常を検出するための判定基準であるパニック値（クリティカル値）を分析項目ごとに設定し、また、異常が検出されたときの分析装置の動作を設定する設定部と、前記分析部による分析結果が、前記設定部により設定された判定基準により異常であると判定されると、前記設定部により設定された分析装置の動作に従って、前記ラック供給部からの検体ラックの供給を停止する制御部を備えるようにしたものである。  
かかる構成により、パニック値（クリティカル値）を示した検体が発生した場合に、再検査の処理の待ち時間を少なくできる。
【発明の効果】
【００１９】
本発明の目的は、パニック値（クリティカル値）を示した検体が発生した場合に、再検査の処理の待ち時間を少なくできる自動分析装置を提供することにある。
【発明を実施するための最良の形態】
【００２０】
以下、図１〜図４を用いて、本発明の一実施形態による自動分析装置の構成及び動作について説明する。  
最初に、図１を用いて、本実施形態による自動分析装置の構成について説明する。  
図１は、本発明の一実施形態による自動分析装置の全体構成を示すシステム構成図である。
【００２１】
本実施形態の自動分析装置は、自動分析装置本体と、この自動分析装置本体を制御する制御部１００と、所定の条件等を設定する設定部１９０とを備えている。制御部１００は、記憶部１１０を備えている。設定部１９０は、マウスやキーボードなどの入力部と、モニター等の表示部からなり、ＧＵＩを構成している。設定部１９０により設定された条件等は、記憶部１１０に記憶される。
【００２２】
次に、自動分析装置本体の構成及び動作について説明する。ここでは、自動分析装置本体の通常の全体的な動作について説明する。
【００２３】
ラック供給部１には、複数の検体ラック２が並べられる。検体ラック２には、複数の検体容器が収容されており、各検体容器内には、検査のためのサンプル（試料）が保持されている。検体ラック２および検体ラック２に収容される検体容器には、バーコードラベル等の識別媒体が貼り付けられており、検体ラックの番号や、検体容器の番号が付与されている。
【００２４】
検体ラック２は、ラック供給部１によって、順次、搬送ライン３に移送される。搬送ライン３の途中には、識別装置５を備えた識別部４が配置されている。識別装置５は、バーコードリーダ等が構成される。識別部４の識別装置５が、検体ラック２および検体ラック２に収容される検体容器に貼り付けられたバーコードラベル等の識別媒体を読み取ることで、検体ラック番号および検体容器番号が認識される。
【００２５】
識別装置５によって認識された検体ラック番号および検体容器番号は、制御部１００に伝達される。制御部１００は、検体ラック２の種別、各検体容器に対し指示されている分析項目の種類等を、検体受付番号と対応させて設定部１９０から予め指示されている分析情報と照合する。制御部１００は、その照合結果に基づいて、検体ラック２の送り先を決定するとともに、記憶部１１０に記憶されて、その後の検体ラック２の処理に利用される。第１分析部６、第２分析部１４は、搬送ライン３に沿って配置されている。第１分析部６と第２分析部１４とは、それぞれ異なる分析項目の分析が可能であるため、制御部１００は、各サンプル毎の検査項目に応じて、検体ラック２の送り先として、第１分析部６若しくは第２分析部１４を決定する。なお、第１分析部６と第２分析部１４とが同じ分析項目の分析を行うものである場合には、ラック単位で、交互に、第１分析部６と第２分析部１４とに振り分けるように、制御部１００が検体ラック２の送り先を決定するようにすることもできる。
【００２６】
ラック供給部１の上流部には、緊急検体ラック投入部３２が備えられている。緊急検体ラック投入部３２に検体ラック２が置かれた場合には、制御部１００は、ラック供給部１にある検体ラック２に優先して緊急検体ラック投入部３２にある検体ラック２が、搬送ライン３に移送するように、緊急検体ラック投入部３２及びラック供給部１を制御する。
【００２７】
搬送ライン３に沿って配置される第１分析部６は、搬送ライン３から検体ラック２を受け取りサンプリング処理後の検体ラック２を再び搬送ライン３に戻すサンプリング部８と、円周上に並べて配置された各反応容器内で各種の分析項目に応じたサンプルと試薬の反応を進める反応ディスク１０と、各種の分析項目に応じた試薬を試薬吸入位置に位置づけるように動作する試薬ディスク１１を備えている。また、第１分析部６は、サンプリング部８から反応ディスク１０上の反応容器へ検体容器内のサンプルを分注する検体分注機構９と、試薬ディスク１１上の試薬ボトルから反応ディスク１０上の反応容器へ分析項目に応じた試薬を分注する試薬分注機構１２を備えている。
【００２８】
また、搬送ライン３に沿って配置される第２分析部１４は、搬送ライン３から検体ラック２を受け取りサンプリング処理後の検体ラック２を再び搬送ライン３に戻すサンプリング部１６と、円周上に並べて配置された各反応容器内で各種の分析項目に応じたサンプルと試薬の反応を進める反応ディスク１８と、各種の分析項目に応じた試薬を試薬吸入位置に位置づけるように動作する試薬ディスク１９を具備する。また、第２分析部１４は、サンプリング部１６から反応ディスク１８上の反応容器へ検体容器内のサンプルを分注する検体分注機構１７と、試薬ディスク１９上の試薬ボトルから反応ディスク１８上の反応容器へ分析項目に応じた試薬を分注する試薬分注機構２０を備えている。
【００２９】
なお、試薬ディスク１１に設置された試薬の種類と、試薬ディスク１９に設置された試薬の種類とは、異なる種類とすれば、分析装置本体によって分析可能な分析項目を増やすことができる。また、試薬ディスク１１に設置された試薬の種類と、試薬ディスク１９に設置された試薬の種類とを、同じ種類とすれば、分析装置本体の単位時間に分析可能なサンプル数を増加して、スループットを向上できる。
【００３０】
第１分析部６によって分析検査される項目が指示されているサンプルを保持する検体ラック２は、ラック取込機構７により搬送ライン３上からサンプリング部８に移送される。移送された検体ラック２は、サンプリング部８内のサンプル採取位置に移動され、必要な検体容器内に検体分注機構９の分注ノズルが挿入されて反応容器への分注がなされる。同じ検体容器について２項目以上の検査が指示されている場合、および同じ検体ラック２上の他の検体容器に対し検査項目が指示されている場合は、引き続いてサンプル採取動作が繰り返される。
【００３１】
指示されているすべての分析項目に関するサンプルの採取が終了した検体ラック２は、ラック排出機構１３の対応位置まで移動され、ラック排出機構１３によって搬送ライン３上へ移送される。一方、反応ディスク１０上の反応容器に採取されたサンプルは、試薬分注機構１２によって分注された試薬と反応される。反応開始から所定時間後に検出器によって測定された各分析項目に対応するデータは、制御部１００に出力する。制御部１００は、設定部１９０から予め記憶部１１０に設定されている分析結果の異常を検出するための判定規準と分析検査データを照合し、測定データが不適性な場合は、再検査が必要な検体であることを検体ラック番号および検体容器番号と対応させて記憶部１１０に記憶する。
【００３２】
ラック排出機構１３によって搬送ライン３上に移送された検体ラック２に対し、第２分析部１４に設定されている分析項目を分析検査する必要があるサンプルが収容されているか否かが制御部１００によって判断される。制御部１００は、検体ラック２上に検査すべきサンプルがあれば、該検体ラック２をラック取込機構１５の対応位置まで搬送ライン３によって運ぶ。搬送ライン３上に停止された検体ラック２は、ラック取込機構１５によりサンプリング部１６内に移送され、次いでサンプル採取位置にて反応ディスク１８上の反応容器にサンプルを分注する。必要な検体容器のすべてのサンプル採取を終えた検体ラック２は、ラック排出機構２１により搬送ライン３上に移送される。そして、検体ラック２は、搬送ライン３出口直後にあるラック振分機構２２まで搬送される。
【００３３】
搬送された検体ラック２の検体ラック番号は記憶部１１０に記憶されている為、コントロール検体用ラック、標準試料用ラック、および洗浄液用ラック等の再検査が不要な検体ラック２か、再検査の可能性のある検体ラック２かは、制御部１００により既に判断されている。検体ラック２は、その判断に基づいて制御部１００の制御信号を受けたラック振分機構２２により、再検査が不要で有ればラック引込機構２８に移送され、ラック引込機構２８によりラック収納部２３入り口に送られ、ラック押込機構２９により検体ラック収納部２３へ収納される。検体ラック２に再検査の可能性が有れば、ラック待機部２４へ運ばれ、再検査の要否が決定するまで待機する。
【００３４】
再検査が必要と判断された検体ラック２は、ラック分配機構２５で搬出ライン２６に移送され、搬出ライン２６で帰還ライン３０まで運ばれ、帰還ライン３０の出口に移送される。そして、再検査が必要と判断された検体ラック２は、ラック戻し機構３１により検体投入部１にある検体ラック２と緊急検体ラック投入部３２に優先して搬送ライン３に移送され、前述の手順で再び検査を行う。
【００３５】
再検査が不要と判定された検体ラック２は、ラック分配機構２５で搬出ライン２６に移送され、搬出ライン２６でラック引込機構２８まで搬送される。さらに、再検査が不要と判定された検体ラック２は、ラック収納部２３入り口に引き込まれ、ラック押込機構２９でラック収納部２３に収納される。第１回目の分析検査データおよび再検査の分析検査データは、設定部１９０の中の表示部に表示される。
【００３６】
次に、図２〜図４を用いて、本発明の一実施形態による自動分析装置における、パニック値（クリティカル値）を示した検体が発生した場合の再検査処理のための構成及び動作について説明する。  
最初に、図２を用いて、本実施形態による自動分析装置における、パニック値（クリティカル値）を示した検体が発生した場合の再検査処理のための構成について説明する。  
図２は、本発明の一実施形態による自動分析装置における、パニック値（クリティカル値）を示した検体が発生した場合の再検査処理のための構成を示すブロック図である。
【００３７】
設定部１９０は、判定基準設定部１９２と、動作設定部１９４とを備えている。判定基準設定部１９２は、検体の各分析項目毎に、分析値に対するパニック値（クリティカル値）等を設定する。動作設定部１９４は、パニック値（クリティカル値）を示した検体が発生した場合の、自動分析装置本体の動作条件を設定する。判定基準設定部１９２及び動作設定部１９４の設定動作については，図３を用いて後述する。
【００３８】
ここで、図３を用いて、本実施形態による自動分析装置に用いる設定部の動作について説明する。  
図３は、本発明の一実施形態による自動分析装置に用いる設定部の動作を説明するための表示画面の表示例である。
【００３９】
前述したように、設定部１９０は、マウスやキーボードなどの入力部と、モニター等の表示部からなり、ＧＵＩを構成している。設定部１９０により設定された条件等は、記憶部１１０に記憶される。
【００４０】
自動分析装置の各機能は、ルーチン操作２０１をはじめとして、試薬管理２０２、キャリブレーション２０３、精度管理２０４、ユーティリティ２０５などがある。ユーティリティー２０５は、自動分析装置全体のメンテナンス設定を行うメンテナンス２０７や、分析項目ごとの設定を行うアプリケーション２０６などがある。
【００４１】
アプリケーション２０６は、分析項目ごとに再検の判定基準に係る設定を行う判定基準設定部１９２及び動作設定部１９４としての機能を備えている。
【００４２】
図３の例では、項目名２０９の欄のＡＳＴの検体種別２１０が血清の時のパラメータを表示している。自動再検２１１の欄は、ＡＳＴについて自動再検の要否を設定する。図３の例では“Ｙ”の登録により自動再検を行う設定となっている。テクニカルリミット２１２の欄、リピートリミット２１３の欄は再検を行うための閾値を登録する。例えば、分析項目ＡＳＴにおいては、検出値の正常範囲が０〜４０とすると、図３の例では、リピートリミット２１３の欄には、検出値が０未満若しくは４０以上の場合、再検査するという設定が登録されている。また、分析値が２０００を超えることや０未満となることが無い場合には、分析値が２０００以上を示したときは、自動分析装置の故障等が考えられるため、テクニカルリミット２１２の欄には、図３の例では、０未満及び２０００以上が設定され、登録されている。
【００４３】
パニックリミット２１４の欄はパニック値（クリティカル値）と判定するための閾値を登録するものである。分析値が正常値の上限である４０を超え、さらに、それよりも高い，例えば、３００となると、生命の危険があるため再検査が必要である値，すなわち、パニック値（クリティカル値）として登録する。パニックリミット２１４の欄が、判定基準設定部１９２に相当する。
【００４４】
ラック供給停止２１５の欄、緊急ラック供給停止２１６の欄、及びサンプリング停止２１７の欄は、パニック値が検出された場合に、自動分析装置本体の動作条件を設定するための、動作設定部１９４である。
【００４５】
ラック供給停止２１５の欄は、分析値がパニックリミット２１３未満の場合か超えた場合にラック供給部１からのラック供給を停止要否を設定する。図３の例では、“Ｙ”の登録によりラック供給部１からのラック供給を停止する設定となっている。
【００４６】
緊急ラック供給停止２１６の欄は、分析値がパニックリミット２１３未満の場合か超えた場合に緊急検体ラック投入部３２からのラック供給を停止要否を設定する。図２の例では、“Ｙ”の登録により緊急検体ラック投入部３２からのラック供給を停止する設定となっている。
【００４７】
サンプリング停止２１７の欄は、分析値がパニックリミット２１３未満の場合か超えた場合にサンプリング部８もしくはサンプリング部１６内での検体容器内から反応容器への分注停止要否を設定する。図３の例では、“Ｎ”の登録により、サンプリング部８もしくはサンプリング部１６内での検体容器内から反応容器への分注を停止しない設定となっている。
【００４８】
判定基準や動作条件等の設定が完了した後は、登録２１８のボタンを押すことにより、記憶部１１０に入力値が設定される。図３に示すパラメータは、自動分析装置がスタンバイ状態の時のみ登録が可能である。
【００４９】
ここで、動作設定部のラック供給停止２１５の欄，緊急ラック供給停止２１６の欄，サンプリング停止２１７の欄について、詳述する。
【００５０】
ラック供給停止２１５の欄は、”Ｙ”に固定設定している。従来の装置において、再検査時には、再検査の必要なサンプルの載った検体ラック２が帰還ライン３０を介して、ラック戻し機構３１の位置まで戻ると、ラック供給部１から供給される予定の検体ラック２よりも優先して、再検査の必要なサンプルの載った検体ラック２が搬送ライン３に供給される。従って、再検査の必要なサンプルの載った検体ラック２がラック戻し機構３１の位置まで戻るまでは、ラック供給部１から検体ラック２が供給されている。その結果、再検査の必要なサンプルの載った検体ラック２がラック戻し機構３１により搬送ライン３に供給された時点では、ラック戻し機構３１と検体分注機構９、１７の間には、検査待ちの複数の検体ラック２が残存していることにある。そのため、これらの残存している検体ラック２の複数の検体の分析が終了した後でないと、再検査の必要なサンプルの再検査を行えないことになり、再検査まで長時間を要することになる。
【００５１】
それに対して、ラック供給停止２１５の欄は、”Ｙ”にすると、パニック値を示したサンプルが検出された時点で、ラック供給部１からの新規の検体ラック２の供給を停止する。その結果、再検査の必要なサンプルの載った検体ラック２がラック戻し機構３１により搬送ライン３に供給された時点では、ラック戻し機構３１と検体分注機構９、１７の間には、検査待ちの検体ラック２が残存しないことになる。そのため、パニック値を示したサンプルの載った検体ラック２は、速やかに、搬送ライン３により検体分注機構９、１７に搬送でき、再検査の必要なサンプルの再検査を直ちに行えることになる。
【００５２】
緊急ラック供給停止２１６の欄は、”Ｙ”か、”Ｎ”のいずれかを選択可能である。緊急ラック供給停止２１６の欄を、”Ｙ”に設定すると、緊急検体ラック投入部３２からのラック供給を停止する。その結果、緊急検体に優先して、パニック値を示したサンプルの載った検体ラック２を、搬送ライン３により検体分注機構９、１７に搬送でき、再検査の必要なサンプルの再検査を直ちに行えることになる。緊急ラック供給停止２１６の欄を、”Ｎ”に設定すると、緊急検体ラック投入部３２からのラック供給は可能であるため、緊急検体がある場合には、緊急検体を優先して、搬送ライン３により検体分注機構９、１７に搬送でき、緊急検体の検査を直ちに行えることになる。また、緊急検体に引き続いて、パニック値を示したサンプルの載った検体ラック２を、搬送ライン３により検体分注機構９、１７に搬送でき、再検査の必要なサンプルの再検査を直ちに行えることになる。
【００５３】
サンプリング停止２１７の欄は、”Ｙ”か、”Ｎ”のいずれかを選択可能である。サンプリング停止２１７の欄を、”Ｙ”に設定すると、検体分注機構９、１７における検体の分注を停止する。
【００５４】
従来の装置では、パニック値を示したサンプルが検出された時点では、サンプリング部８，１６には、複数の検体ラック２が載置され、順次、分注が行われている。再検査時に、再検査の必要なサンプルの載った検体ラック２が帰還ライン３０及び搬送ライン３を介して、検体分注機構９、１７に到達するまで、その途中に搬送ライン３やサンプリング部８，１６に残存している複数の検体ラック２の検体の分析が終了した後でないと、再検査の必要なサンプルの再検査を行えないことになり、再検査まで長時間を要することになる。
【００５５】
それに対して、サンプリング停止２１７の欄は、”Ｙ”にすると、パニック値を示したサンプルが検出された時点で、検体分注機構９、１７における検体の分注を停止する。例えば、検体ラック２に、５個の検体容器が収納され、第１番目のサンプルについて１０項目の分析項目が設定され、５項目分の分注が終了した時点で、パニック値を示したサンプルが検出されると、第１番目の６〜１０番目の分析項目に対する分注が停止されるとともに、この検体ラック２に収納されている第２〜５場面目の検体の分注も停止する。また、搬送ライン３やサンプリング部８，１６に残存している複数の検体ラック２に収納された検体容器に対する分注も停止する。これら分析の完了していない検体ラック２は、全て一旦搬送ライン３により搬送され、帰還ライン３０により、ラック戻し機構３１の位置まで戻り、再度搬送ライン３に乗せられるように循環する。その間に、再検査の必要なサンプルの載った検体ラック２が、帰還ライン３０と搬送ライン３により、検体分注機構９、１７の位置に速やかに搬送され、再検査の必要なサンプルの再検査を直ちに行えることになる。
【００５６】
サンプリング停止２１７の欄を、”Ｎ”に設定すると、検体分注機構９、１７における検体の分注は停止しないものである。
【００５７】
動作設定部のラック供給停止２１５の欄を”Ｙ”とした場合，緊急ラック供給停止２１６の欄を”Ｙ”とした場合，サンプリング停止２１７の欄を”Ｙ”とした場合の３者で比べると、再検査までに要する時間を最も短縮できるのは、サンプリング停止２１７の欄を”Ｙ”とした場合である。次は、緊急ラック供給停止２１６の欄を”Ｙ”とした場合である。最後は、ラック供給停止２１５の欄を”Ｙ”とした場合である。
【００５８】
動作設定部のラック供給停止２１５の欄は”Ｙ”に固定設定しているが、緊急ラック供給停止２１６の欄や、サンプリング停止２１７の欄を、”Ｙ”に設定するか、”Ｎ”に設定するかは、緊急性との兼ね合いである。例えば、心停止に関連する分析項目であるＫの場合には、緊急性が大であるため、動作設定部のラック供給停止２１５の欄を”Ｙ”に設定し、緊急ラック供給停止２１６の欄及びサンプリング停止２１７の欄を、”Ｙ”に設定する。図３に示した分析項目であるＡＳＴ，ＡＬＴ，ＬＤ，ＧＧＴ等は肝機能に関する分析項目である。肝機能の場合には、心停止に比べると緊急性が小さいので、動作設定部のラック供給停止２１５の欄を”Ｙ”に設定し、緊急ラック供給停止２１６の欄を”Ｙ”に設定し、サンプリング停止２１７の欄を、”Ｎ”に設定する。その他、分析項目の緊急性に応じて、動作設定部のラック供給停止２１５の欄を”Ｙ”に設定し、緊急ラック供給停止２１６の欄を”Ｎ”に設定し、サンプリング停止２１７の欄を、”Ｎ”に設定したり、また、動作設定部のラック供給停止２１５の欄を”Ｙ”に設定し、緊急ラック供給停止２１６の欄を”Ｎ”に設定し、サンプリング停止２１７の欄を、”Ｙ”に設定したりする。
【００５９】
次に、図２に示した制御部１００の構成及び動作について説明する。
【００６０】
制御部１００は、記憶部１１０と、判定部１２０と、動作制御部１３０とを備えている。記憶部１１０には、前述のように、判定基準設定部１９２により設定された判定基準や、動作設定部１９４により設定された動作条件を記憶されている。
【００６１】
判定部１２０は、記憶部１１０に記憶された判定基準を用いて、自動分析装置本体から得られた分析値が、パニック値に相当するか否かを判定する。
【００６２】
判定部１２０がパニック値に相当すると判定すると、動作制御部１３０は、記憶部１１０に記憶された動作条件に基づいて、ラック供給部１の停止や、緊急検体ラック投入部３２の停止や、検体分注機構９，１７の停止を制御する。また、動作制御部１３０は、識別装置５からの信号により、新たな検体ラックの搬送ライン３への投入が検知されると、新たな検体の搬送を開始する。
【００６３】
ここで、図４を用いて、本実施形態による自動分析装置に用いる制御部の動作について説明する。  
図４は、本発明の一実施形態による自動分析装置に用いる制御部の動作を説明するフローチャートである。
【００６４】
ステップＳ１０において、制御部１００は、検体ラックに収容されている検体の１分析ごとの検査結果完了をトリガーとして判定処理を実行する。
【００６５】
そして、ステップＳ２０において、判定部１２０は、分析結果が記憶部１１０に設定されているパニックリミット以内であるか否かを判定する。判定の結果、パニックリミットの範囲内であれば、ステップＳ８０において、制御部１００は、残りの分析結果の判定を継続して行う。
【００６６】
ステップＳ２０における判定の結果、パニックリミットの範囲外であった場合には、ステップＳ３０において、動作制御部１３０は、記憶部１１０に記憶されている各分析項目毎の動作条件を読み出し、緊急ラック供給停止に設定されているか否かを判定する。緊急ラック供給停止設定が”Ｙ”の場合には、ステップＳ９０において、動作制御部１３０は、ただちに緊急ラック供給部３２の動作を停止する。
【００６７】
次に、ステップＳ４０において、動作制御部１３０は、記憶部１１０に記憶されている各分析項目毎の動作条件を読み出し、ラック供給停止に設定されているか否かを判定する。ラック供給停止設定が”Ｙ”の場合には、ステップＳ１００において、動作制御部１３０は、ただちにラック供給部１の動作を停止する。
【００６８】
次に、ステップＳ５０において、動作制御部１３０は、記憶部１１０に記憶されている各分析項目毎の動作条件を読み出し、サンプリング停止に設定されているか否かを判定する。サンプリング停止設定が”Ｙ”の場合には、ステップＳ１１０において、動作制御部１３０は、ただちにサンプリング部８，１６内での検体容器内から反応容器への分注を停止する。
【００６９】
ステップＳ６０において、制御部１００は、ラック２上のすべての検体のチェックが完了したか否かを判定する。ラック２上のすべての検体のチェックが完了すると、再検査が必要と判断された検体ラック２は、ステップＳ７０において、ラック分配機構２５は、検体ラック２を搬出ライン２６に移送し、搬出ライン２６で帰還ライン３０まで運ばれ、帰還ライン３０出口に移送され、再検査が行われる。
【００７０】
以上説明したように、本実施形態によれば、動作設定部に設定された動作条件に応じた各部の制御をすることで、パニック値を検出した検体の再検を迅速に実施することができる。
【００７１】
なお、分析部としては、血液、血漿、血清、尿、その他の体液中の特定成分の量を定量的、定性的に分析する生化学分析装置、あるいは特定の抗原・抗体の量を測定する免疫分析装置、ＤＮＡ分析装置など、生体サンプルを分析可能なものであればよいものである。
【００７２】
また、検体ラックの搬送は、ベルトコンベア方式、ラックの後端部を押し出して移送する押し出しアーム方式、クレーン等によりラックを搬送する方式等、ラックを移動させることができるものであればどのような方法でも適用可能である。また、搬送ラインが帰還ラインを兼ねてもよいものである。
【図面の簡単な説明】
【００７３】
【図１】本発明の一実施形態による自動分析装置の全体構成を示すシステム構成図である。
【図２】本発明の一実施形態による自動分析装置における、パニック値（クリティカル値）を示した検体が発生した場合の再検査処理のための構成を示すブロック図である。
【図３】本発明の一実施形態による自動分析装置に用いる設定部の動作を説明するための表示画面の表示例である。
【図４】本発明の一実施形態による自動分析装置に用いる制御部の動作を説明するフローチャートである。
【符号の説明】
【００７４】
１…ラック供給部
２…検体ラック
３…搬送ライン
４…識別部
５…識別装置
６…第１分析部
７，１５…ラック取込機構
８，１６…サンプリング部
９，１７…検体分注機構
１０，１８…反応ディスク
１１，１９…試薬ディスク
１２，２０…試薬分注機構
１３，２１…ラック排出機構
１４…第２分析部
２２…ラック振分機構
２３…ラック収納部
２４…ラック待機部
２５…ラック分配機構
２６…搬出ライン
２７，２９…ラック押込機構
２８…ラック引込機構
３０…帰還ライン
３１…ラック戻機構
３２…緊急検体ラック投入部
１００…制御部
１１０…記憶部
１２０…判定部
１３０…動作制御部
１９０…設定部
１９２…判定基準設定部
１９４…動作設定部
【図１】
2010122124.tif 000003
【図２】
2010122124.tif 000004
【図３】
2010122124.tif 000005
【図４】
2010122124.tif 000006